(57)【要約】  【課題】水上の足場、支保工が不要で、迅速な構築を可能で、あり、特に一部が海水に浸るような桟橋で、潮の干満に影響されない、安定した品質の桟橋を提供する  【解決手段】水底に打設した複数本の杭と、杭の配置に応じた位置に、杭の外径よりも大きい貫通孔を開設し、かつ側面に受棚を張り出したプレキャストＰＣ主梁と、平行に配置した２本のプレキャストＰＣ主梁の間に掛け渡すプレキャストＰＣ横梁とより構成する。水底に打設した杭の杭頭に、プレキャストＰＣ主梁の貫通孔を嵌合して杭とプレキャストＰＣ主梁とを一体化する。平行に配置したプレキャストＰＣ主梁の間に、その受棚を介してプレキャストＰＣ横梁を架設する。プレキャストＰＣ主梁およびプレキャストＰＣ横梁を貫通させたＰＣ鋼線を緊張して一体化し、プレキャストＰＣ主梁とプレキャストＰＣ横梁とで格子枠を形成する。そのプレキャストＰＣ板を敷設してコンクリート層を打設する。【選択図】図１
2008014083.tif 000002
【特許請求の範囲】
【請求項１】
水底に打設した複数本の杭と、
杭の配置に応じた位置に、杭の外径よりも大きい貫通孔を開設し、かつ側面に受棚を張り出したプレキャストＰＣ主梁と、
平行に配置した２本のプレキャストＰＣ主梁の間に掛け渡すプレキャストＰＣ横梁とより構成し、
水底に打設した杭の杭頭に、
プレキャストＰＣ主梁の貫通孔を嵌合して杭とプレキャストＰＣ主梁とを一体化し、
平行に配置したプレキャストＰＣ主梁の間に、
その受棚を介してプレキャストＰＣ横梁を架設し、
プレキャストＰＣ主梁およびプレキャストＰＣ横梁を貫通させたＰＣ鋼線を緊張して一体化し、
プレキャストＰＣ主梁とプレキャストＰＣ横梁とで格子枠を形成し、
その格子枠の上にプレキャストＰＣ板を配置し、
プレキャストＰＣ板の上にコンクリート層を打設して行う、
桟橋の構築方法。
【請求項２】
最外周に位置するプレキャストＰＣ主梁の外側には、
プレキャストＰＣ主梁の中心軸と直交する方向に向けて張り出し梁を配置し、
この張り出し梁とプレキャストＰＣ主梁を貫通させたＰＣ鋼線を緊張して一体化し、
複数の平行に張り出した張り出し梁群の先端には、
プレキャストＰＣ主梁と平行に受け梁を搭載し、
プレキャストＰＣ主梁と受け梁との間にはプレキャストＰＣ板を配置して行う、
請求項１記載の桟橋の構築方法。
【請求項３】
プレキャストＰＣ主梁の貫通孔と、
杭頭との間には打設誤差を吸収する余裕寸法を設け、
プレキャストＰＣ主梁を設置した後に、
この余裕寸法内にコンクリートを打設して行う、
請求項１記載の、桟橋の構築方法。
【発明の詳細な説明】
【技術分野】
【０００１】
本発明は、桟橋の構築方法に関するものである。
【背景技術】
【０００２】
従来の桟橋の構築方法は、水底に杭を打ち込み、この杭に場所打ちコンクリートによって梁を形成し、この梁で格子状の枠を形成し、枠の上にコンクリートを打設して構築していた。
【発明の開示】
【発明が解決しようとする課題】
【０００３】
前記したような従来の場所打ちコンクリートによる桟橋の構築方法にあっては、次のような問題点がある。
＜１＞  現場打ちコンクリートの型枠を水上に架設する必要があるために、足場や支保工の設置が簡単ではない。
＜２＞  特に下部の一部が水中に没するタイプの桟橋では、型枠の取り付け、解体が水中作業となり困難である。
＜３＞  現場打ちコンクリートでは品質管理に限界があるため、特に一部が海水に浸るような桟橋ではコンクリートの劣化、鉄筋の腐食の危険性がある。
【課題を解決するための手段】
【０００４】
上記のような課題を解決するために本発明の桟橋の構築方法は、水底に打設した複数本の杭と、杭の配置に応じた位置に、杭の外径よりも大きい貫通孔を開設し、かつ側面に受棚を張り出したプレキャストＰＣ主梁と、平行に配置した２本のプレキャストＰＣ主梁の間に掛け渡すプレキャストＰＣ横梁とより構成し、水底に打設した杭の杭頭に、プレキャストＰＣ主梁の貫通孔を嵌合して杭とプレキャストＰＣ主梁とを一体化し、平行に配置したプレキャストＰＣ主梁の間に、その受棚を介してプレキャストＰＣ横梁を架設し、プレキャストＰＣ主梁およびプレキャストＰＣ横梁を貫通させたＰＣ鋼線を緊張して一体化し、プレキャストＰＣ主梁とプレキャストＰＣ横梁とで格子枠を形成し、その格子枠の上にプレキャストＰＣ板を配置し、プレキャストＰＣ板の上にコンクリート層を打設して行う、桟橋の構築方法を特徴としたものである。
【発明の効果】
【０００５】
本発明の桟橋の構築方法は以上説明したようになるから次のような効果を得ることができる。
＜１＞  格子枠を構成する縦横の梁はプレキャスト製品であるために、現場打ちコンクリートの場合のよう、水上の足場、支保工が不要となり、さらに型枠の組み立て、脱型が不要となるから迅速な構築を行うことができる。
＜２＞  桟橋の床版を、縦横に配置したプレキャストＰＣの梁と、その上の現場打ちコンクリートの合成床版とすることができるから、床版コンクリートのための型枠の組み立て、脱型の作業も不要となり、迅速な構築が可能となる。
＜３＞  格子枠を構成する縦横の梁はプレキャスト製品であるために、現場での杭の打設と平行して製作することができ、現場での工期を短縮することができる。
＜４＞  特に一部が海水に浸るような桟橋では、工場製品のプレキャスト梁で格子枠を形成するから、潮の干満に影響されない、安定した品質の桟橋を提供することができる。
【発明を実施するための最良の形態】
【０００６】
以下図面を参照にしながら本発明の構築方法の好適な実施の形態を詳細に説明する。
【実施例】
【０００７】
＜１＞プレキャストＰＣ主梁１。
プレキャストＰＣ主梁１は、プレストレスを導入したプレキャストコンクリート製の長方形の梁材である。
このプレキャストＰＣ主梁１が、格子枠を形成した場合の主桁となる。
このプレキャストＰＣ主梁１には、複数の位置に貫通孔１１を上下に貫通して開設する。
貫通孔１１の位置は、後述する杭３の配置に応じた位置である。
この貫通孔１１の内径は、杭３の外径よりも大きく形成して、杭３の打設位置の誤差を吸収する余裕寸法を設ける。
しかし、最近の海上、河川上、湖上での杭３打ち技術は測量技術の発達によって著しく向上しているから、余裕寸法はさほど大きく設ける必要はない。
プレキャストＰＣ主梁１の側面には受棚１２を張り出して形成する。
この受棚１２は、平面的に見てプレキャストＰＣ主梁１の貫通孔１１の両側の位置に突設する。
貫通孔１１の位置が格子枠の交点となり、この受棚１２が、格子枠の横梁であるプレキャストＰＣ横梁２を受ける受け台となる。
【０００８】
＜２＞プレキャストＰＣ横梁２。
プレキャストＰＣ横梁２も、プレストレスを導入したプレキャストコンクリート製の長方形の梁材である。
このプレキャストＰＣ横梁２は、平行に配置した２本のプレキャストＰＣ主梁１の間に掛け渡すための板体であり、主桁ではないから中空に形成することもできる。
ただし、後述するようにプレキャストＰＣ主梁１とプレキャストＰＣ横梁２とを貫通してＰＣ鋼線を配置するから、プレキャストＰＣ横梁２にはＰＣ鋼線を貫通させ得るだけの厚さが必要である。
【０００９】
＜３＞張り出し梁４。
張り出し梁４は、プレストレスを導入したプレキャストコンクリート製の長方形の板材である。
この張り出し梁４は、プレキャストＰＣ主梁１の側面に取り付ける板体であり、内部にはＰＣ鋼線を貫通する挿入孔を開設してある。
そして張り出し梁４をプレキャストＰＣ主梁１の側面に取り付けた場合の先端には受け梁４１を搭載するための切り欠きを設けておく。
【００１０】
＜４＞杭３の打設。
次に桟橋の構築の順序について説明する。
まず、海上、河川上、湖上などの水上から、水底に向けて複数本の杭３を打設する。
杭３が鋼管の杭である場合には内部にコンクリートを充填する。
杭３は、完成した場合の格子枠の交点の位置に正確に打設する。
【００１１】
＜５＞プレキャストＰＣ主梁１の結合。
プレキャストＰＣ主梁１、その他の部材は工場でプレストレスを導入して製造する。
工場生産であるから、現場で杭打ちを行っている期間に、平行して工場で高い品質を維持して生産を行うことができる。
工場生産したプレキャストＰＣ主梁１を現場に運搬し、クレーンなどで吊り上げる。
そして水底に打設した杭３の杭頭に、プレキャストＰＣ主梁１の貫通孔１１を嵌合する。
その際には、貫通孔１１の上面には、図４に示すように貫通孔１１を横断する状態で横断鋼材１４をボルト止めする。
この横断鋼材がストッパとして作用し、杭３が貫通孔１１を突き抜けてしまうことを阻止することができる。
杭３の外径に比較して、貫通孔１１の内径は余裕寸法だけ大きいから、杭３の打設位置に多少の誤差があっても杭３の貫通は問題がない。
プレキャストＰＣ主梁１を杭３の頭部に設置した後、余裕寸法の空間を間詰めコンクリート１３で充填する。
間詰めコンクリート１３で充填するために、余裕寸法の空間の下部には底型枠１５を設置し、この底型枠１５は上部からチェーンなどで吊って位置を確保しておく。
こうして複数本のプレキャストＰＣ主梁１は、平行に配置した状態で、おのおのを杭頭部と結合されることになる。
【００１２】
＜６＞プレキャストＰＣ横梁２の架設。
平行して配置したプレキャストＰＣ主梁１の間にプレキャストＰＣ横梁２を架設する。
その場合にプレキャストＰＣ主梁１はその側面に受棚１２を突設してあるから、プレキャストＰＣ横梁２はプレキャストＰＣ主梁１の受棚１２の上に搭載すれば正確に位置を確保できる。
さらにこの受棚１２は、プレキャストＰＣ主梁１の貫通孔１１の両側に位置しているから、杭３が格子枠の交点となり、受棚１２上のプレキャストＰＣ横梁２が格子枠の横梁を構成する。
プレキャストＰＣ横梁２は、２本のプレキャストＰＣ主梁１の間に少なくとも３箇所に架設して、平面的に見た場合に格子枠を構成する。
【００１３】
＜７＞プレストレスの導入。
プレキャストＰＣ主梁１の貫通孔１１の両側には、プレキャストＰＣ主梁１を横断方向に貫通する状態で鋼線挿入孔を配置しておく。
またプレキャストＰＣ横梁２には、プレキャストＰＣ主梁１と接する一方の側面から他方の側面を貫通する状態で鋼線挿入孔を配置しておく。
これらの鋼線挿入孔を通して、図３に示すようにＰＣ鋼線５を、プレキャストＰＣ主梁１の一端から、プレキャストＰＣ横梁２、プレキャストＰＣ主梁１の順に挿入して反対側まで貫通させ、ジャッキで緊張する。
すると、すべてのプレキャストＰＣ主梁１とプレキャストＰＣ横梁２は格子枠として強固に一体化される。
なお、図では各部材の間に隙間を描いているが、これは説明のためであり、実際はＰＣ鋼線の緊張によって強固に密着している。
また図３では２本のＰＣ鋼線が記載してあるが、実際にはより多数本のＰＣ鋼線を使用する場合が多い。
【００１４】
＜８＞コンクリート層の打設。
プレキャストＰＣ主梁１とプレキャストＰＣ主梁１との間にはプレキャストＰＣ横梁２が架設してあるが、全面を被覆しているものではない。
そこでプレキャストＰＣ横梁２とプレキャストＰＣ横梁２の間の空間は、プレキャストＰＣ板によって覆う。
このプレキャストＰＣ板６はひとつのプレキャストＰＣ主梁１と、平行に架設してある隣接プレキャストＰＣ主梁１の間に架け渡す。
そのためにプレキャストＰＣ板６の厚さだけ段差ができることになる。
このような段差の解消、あるいは高さ調整のために、全面にコンクリート層７を形成する。
そのために現場において配筋を行い、場所打ちコンクリートを打設する。
コンクリート層７の上には舗装８を敷設して桟橋を完成する。
【００１５】
＜９＞張り出し梁４の取り付け。
端部のプレキャストＰＣ主梁１の外側には張り出し梁４を取り付ける。
この取り付け作業は、プレキャストＰＣ主梁１を杭３に架設する前に行うことができる。
この張り出し梁４は、プレキャストＰＣ主梁１の中心軸と直交する方向に向けて配置する板体である。
張り出し梁４をプレキャストＰＣ主梁１に取り付けるには、両者を貫通させたＰＣ鋼線を緊張して一体化して行う。
格子枠の外側のプレキャストＰＣ主梁１の外面から複数の張り出し梁４を平行に張り出したら、その張り出し梁４群の先端にはプレキャストＰＣ主梁１と平行に受け梁４１を架設する。
張り出し梁４の外側端には切り欠きを形成しておき、その切り欠きに受け梁４１を架設すれば設置は容易である。
そして、前記したプレキャストＰＣ板６の配置の際に、プレキャストＰＣ主梁１と受け梁４１との間にもプレキャストＰＣ板６を配置して、プレキャストＰＣ主梁１と受け梁４１との空間を被覆する。
その上に場所打ちコンクリートを打設してコンクリート層７を形成する工程は、他の部分でのコンクリートの打設と同時に行う。
【図面の簡単な説明】
【００１６】
【図１】本発明の桟橋を構成するプレキャストＰＣ主梁とプレキャストＰＣ横梁と杭の配置の関係の説明図。
【図２】桟橋の格子枠を組み立てた状態の平面図。
【図３】プレキャストＰＣ主梁とプレキャストＰＣ横梁を緊張する状態の説明図。
【図４】格子枠の上にコンクリート層と舗装を施した状態の説明図。
【図５】杭とプレキャストＰＣ主梁の結合状態の説明図。
【図６】プレキャストＰＣ主梁と張り出し梁との結合状態の説明図。
【符号の説明】
【００１７】
１：プレキャストＰＣ主梁
２：プレキャストＰＣ横梁
３：杭
４：張り出し梁
５：ＰＣ鋼線
６：プレキャストＰＣ板
７：コンクリート層
８：舗装
１１：貫通孔
１２：受棚
【図１】
2008014083.tif 000003
【図２】
2008014083.tif 000004
【図３】
2008014083.tif 000005
【図４】
2008014083.tif 000006
【図５】
2008014083.tif 000007
【図６】
2008014083.tif 000008